【事件の表示】
　特願２０１８−　３３９７４号「遊技機」拒絶査定不服審判事件〔平成３０年　６月　７日出願公開、特開２０１８−　８６４４７号〕について、次のとおり審決する。
【結　論】
　本件審判の請求は、成り立たない。
【理　由】
第１　手続の経緯
　本願は、平成３０年２月２７日の出願であって、同年１０月１５日付けで拒絶の理由が通知され、同年１２月２０日に意見書及び手続補正書が提出され、平成３１年２月５日付けで最後の拒絶の理由が通知され、同年４月８日に意見書及び手続補正書が提出されたところ、令和１年５月２０日付け（謄本送達日：同年同月２８日）で、平成３１年４月８日付け手続補正が却下されるとともに拒絶査定がなされ、それに対して、令和１年８月２１日に拒絶査定不服審判の請求がなされると同時に手続補正がなされたものである。
第２　令和１年８月２１に提出された手続補正書による補正の却下の決定
〔補正の却下の決定の結論〕
　令和１年８月２１に提出された手続補正書による補正（以下「本件補正」という。）を却下する。
　
〔理由〕
１　本件補正の内容
（１）本件補正は、特許請求の範囲についてする補正を含むものであって、平成３０年１２月２０日に提出された手続補正書によって補正された本件補正前の請求項１に、
「　複数種類の表示演出を実行可能な表示手段を備える遊技機であって、
　遊技者の操作を受け付けることが可能な操作手段を備え、
　前記表示手段は、第１の表示手段と、前記第１の表示手段とは異なる第２の表示手段とを備え、
　前記複数の表示演出のうちの一つの演出として、第１の表示演出をおこなう場合があり、
　前記複数の表示演出のうちの一つの演出として、第２の表示演出をおこなう場合があり、
　前記第１の表示演出は、リーチ演出であり、
　前記第２の表示演出は、複数の楽曲情報を表示する楽曲表示演出であり、
　前記第１の表示演出は、前記第１の表示手段と前記第２の表示手段とを用いておこなわれる場合があり、
　前記第２の表示演出は、前記第１の表示手段と前記第２の表示手段とを用いておこなわれる場合があり、
　前記第２の表示演出は、大当たり遊技中において、前記複数の楽曲情報を前記第１の表示手段に表示し、その後、前記複数の楽曲情報のうち、遊技者により前記操作手段の操作に基づいて選択された楽曲情報を前記第２の表示手段に表示する、
　ことを特徴とする遊技機。」とあったものを、
　
「　複数種類の表示演出を実行可能な表示手段を備える遊技機であって、
　遊技者の操作を受け付けることが可能な操作手段を備え、
　前記表示手段は、第１の表示手段と、前記第１の表示手段とは異なる
表示手段であって可動式の
　前記第１の表示手段と前記第２の表示手段とは、前記第１の表示手段に対して前記第２の表示手段が第１の位置に配置される第１の態様となる場合と、前記第１の表示手段に対して前記第２の表示手段が前記第１の位置とは異なる第２の位置に配置される第２の態様となる場合とがあり、
　前記複数の表示演出のうちの一つの演出として、第１の表示演出をおこなう場合があり、
　前記複数の表示演出のうちの一つの演出として、第２の表示演出をおこなう場合があり、
　前記第１の表示演出は、リーチ演出であり、
　前記第２の表示演出は、複数の楽曲情報を表示する楽曲表示演出であり、
　前記第１の表示演出は、前記第１の表示手段と前記第２の表示手段とを用いておこなわれる場合があり、
　前記第２の表示演出は、前記第１の表示手段と前記第２の表示手段とを用いておこなわれる場合があり、
　前記第２の表示演出は、大当たり遊技中において、
前記第１の表示手段と前記第２の表示手段を可動させることで前記第１の態様から前記第２の態様に変化させて、
　ことを特徴とする遊技機。」とする補正を含むものである（下線は補正前後の箇所を明示するために合議体が付した。）。
　
（２）本件補正後の請求項１に係る上記（１）の補正は、次の補正事項からなる。
（ア）本件補正前の請求項１に係る発明を特定するために必要な事項である「前記第１の表示手段とは異なる」「第２の表示手段」に関して、「
表示手段であって可動式の
（イ）本件補正前の請求項１に係る発明を特定するために必要な事項である「第１の表示手段」及び「第２の表示手段」に関して、「
前記第１の表示手段と前記第２の表示手段とは、前記第１の表示手段に対して前記第２の表示手段が第１の位置に配置される第１の態様となる場合と、前記第１の表示手段に対して前記第２の表示手段が前記第１の位置とは異なる第２の位置に配置される第２の態様となる場合とがあり、
（ウ）本件補正前の請求項１に係る発明を特定するために必要な事項である「大当たり遊技中にお」ける「第２の表示演出」に関して、「
前記第１の表示手段と前記第２の表示手段を可動させることで前記第１の態様から前記第２の態様に変化させて、
２　本件補正の目的、新規事項追加の有無
（１）（ア）上記１（２）（ア）の補正は、願書に最初に添付された特許請求の範囲、明細書及び図面（以下「当初明細書等」という。）の【０１８０】、図４６〜４８等の記載に基づいて、本件補正前の請求項１において記載されていた「前記第１の表示手段とは異なる第２の表示手段」が、「
表示手段であって可動式の
（イ）上記１（２）（イ）の補正は、当初明細書等の【０１８０】、図４６〜４８等の記載に基づいて、本件補正前の請求項１において記載されていた「第１の表示手段」及び「第２の表示手段」が、「
前記第１の表示手段と前記第２の表示手段とは、前記第１の表示手段に対して前記第２の表示手段が第１の位置に配置される第１の態様となる場合と、前記第１の表示手段に対して前記第２の表示手段が前記第１の位置とは異なる第２の位置に配置される第２の態様となる場合とがあ
（ウ）上記１（２）（ウ）の補正は、当初明細書等の【０３６２】、【０６２９】、【０６３２】、【０７０８】、図１１３〜１１６等の記載に基づいて、本件補正前の請求項１において記載されていた「大当たり遊技中にお」ける「第２の表示演出」が、「
前記第１の表示手段と前記第２の表示手段を可動させることで前記第１の態様から前記第２の態様に変化させ
　
（２）以上のとおり、本件補正後の請求項１に係る上記１（２）の補正は、新規事項を追加するものではないから、特許法第１７条の２第３項に規定する要件を満たす。また、本件補正後の請求項１に係る上記１（２）の補正は、本件補正前の請求項１に係る発明を特定するために必要な事項を限定するものであって、産業上の利用分野及び解決しようとする課題が補正の前後において同一であるから、特許法第１７条の２第５項第２号に掲げる特許請求の範囲の減縮を目的とするものである。
　
３　独立特許要件について
　そこで、本件補正後の請求項１に係る発明（以下「本願補正発明」という。）が、特許出願の際独立して特許を受けることができるものであるか（特許法第１７条の２第６項において準用する同法第１２６条第７項の規定に適合するか）について以下検討する。
　
（１）本願補正発明
　本願補正発明を再掲すると、次のとおりのものである。なお、記号ＡないしＬは、分説するため合議体が付した。
　
「Ａ　複数種類の表示演出を実行可能な表示手段を備える遊技機であって、
Ｂ　遊技者の操作を受け付けることが可能な操作手段を備え、
Ｃ　前記表示手段は、第１の表示手段と、前記第１の表示手段とは異なる表示手段であって可動式の第２の表示手段とを備え、
Ｄ　前記第１の表示手段と前記第２の表示手段とは、前記第１の表示手段に対して前記第２の表示手段が第１の位置に配置される第１の態様となる場合と、前記第１の表示手段に対して前記第２の表示手段が前記第１の位置とは異なる第２の位置に配置される第２の態様となる場合とがあり、
Ｅ　前記複数の表示演出のうちの一つの演出として、第１の表示演出をおこなう場合があり、
Ｆ　前記複数の表示演出のうちの一つの演出として、第２の表示演出をおこなう場合があり、
Ｇ　前記第１の表示演出は、リーチ演出であり、
Ｈ　前記第２の表示演出は、複数の楽曲情報を表示する楽曲表示演出であり、
Ｉ　前記第１の表示演出は、前記第１の表示手段と前記第２の表示手段とを用いておこなわれる場合があり、
Ｊ　前記第２の表示演出は、前記第１の表示手段と前記第２の表示手段とを用いておこなわれる場合があり、
Ｋ　前記第２の表示演出は、大当たり遊技中において、前記第１の表示手段と前記第２の表示手段を可動させることで前記第１の態様から前記第２の態様に変化させて、前記複数の楽曲情報を前記第１の表示手段に表示し、その後、前記複数の楽曲情報のうち、遊技者により前記操作手段の操作に基づいて選択された楽曲情報を前記第２の表示手段に表示する、
Ｌ　ことを特徴とする遊技機。」
  
（２）引用例
　ア　引用例１
　原査定の拒絶の理由に引用文献２として引用され、本願出願前に頒布され又は電気通信回線を通じて公衆に利用可能となった特開２０１５−１６０１２号公報（平成２７年１月２９日出願公開、以下「引用例１」という。）には、「遊技機」に関し、次の事項が図とともに記載されている（下線は引用発明の認定に関連する箇所を明示するために合議体が付した。以下同様。）。
　（ア）
「【００２０】
　図１に示すように、ガラス扉枠１０２の下方に取り付けられた下扉枠１０３の前面上部には、遊技球（遊技媒体）を貯留可能な遊技球貯留部としての打球供給皿（上皿とも言う）３が上面に形成された上皿部３ａが、パチンコ機１の前方（パチンコ機１の前面方向）に向けて突設されている。また、この上皿部３ａの下方には、後述する操作レバー６００が揺動自在に軸支されるとともに、上面に余剰球貯留皿（下皿とも言う）４が形成された下皿部４ａ（突出部）が、パチンコ機１の前方（パチンコ機１の前面方向）に向けて突設されている。その右側方には、遊技球を発射する打球操作ハンドル（操作ノブ）５が設けられている。
【００２１】
　
操作レバー６００
遊技者が把持する操作桿
操作桿の所定位置
に
トリガボタンが設けられ
遊技者が
押引操作すること
により所定の指示操作ができるように構成され
【００２２】
　また、上皿３を形成する部材には、例えば上皿３本体の上面における手前側の所定位置（例えば操作レバー６００の上方）などに、
遊技者が押下操作などにより所定の指示操作を可能な操作ボタン５１６が設けられ
　（イ）
「【００２５】
　
遊技領域７の中央付近に
第１演出表示装置９と、この第１演出表示装置９と同一形状の第２演出表示装置１０、第１演出表示装置９及び第２演出表示装置１０よりも小型な第３演出表示装置１１
設けられ
・・・
【００２８】
　また、本実施例では、第３演出表示装置１１が第１演出表示装置９，第２演出表示装置１０よりも下方位置に配置されているとともに、第１演出表示装置９、第２演出表示装置１０及び第３演出表示装置１１は前後方向においては同一位置（同一平面）に配置されている（図２４（Ａ）参照）。このように本実施例では、第１演出表示装置９、第２演出表示装置１０及び第３演出表示装置１１を同一平面上に配置した形態を例示しているが、本発明はこれに限定されるものではなく、例えば、第３演出表示装置１１が第１演出表示装置９や第２演出表示装置１０と一部が重なるように移動可能に設け、これら重なった第３演出表示装置１１と第１演出表示装置９や第２演出表示装置１０とが１つの表示領域を形成するようにしても良い。
【００２９】
　更に、本実施例では、第１演出表示装置９の背面側には該
第１演出表示装置９を上下方向と左右方向に移動させるため及び回転させるための第１移動ユニット５９ａ、
第２演出表示装置１０を上下方向と左右方向に移動させるため及び回転させるための第２移動ユニット５９ｂ、
第３演出表示装置１１を上下方向と左右方向に移動させるため及び回転させるための第３移動ユニット５９ｃがそれぞれ設けられ
これら移動ユニット５９ａ，５９ｂ，５９ｃを駆動させることで、第１〜第３演出表示装置９，１０，１１を、
初期位置の状態から、第１〜第３演出表示装置９，１０，１１の全てが離間している
配置パターンＡ
や、第１〜第３演出表示装置９，１０，１１のうちの少なくとも２つが近接している
配置パターンＢ〜Ｅ
に、配置位置を変更できるようになっている
・・・
【００３１】
　第１〜第３演出表示装置９，１０，１１は、通常時は
第１演出表示装置９と第２演出表示装置１０が左右に隣接し、且つ第３演出表示装置１１が第１演出表示装置９と第２演出表示装置１０の下方に位置した
初期位置
　（ウ）
「【０１７３】
　また、本実施例の
第１〜第３演出表示装置９，１０，１１は、それぞれ個別の画像データを表示できるとともに、それぞれの第１〜第３演出表示装置９，１０，１１に表示される画像中のキャラクタ等が連携する連携画像データを表示でき
・・・
【０１７７】
　また、第１〜第３演出表示装置９，１０，１１に表示される
連携画像データ
は、第１〜第３演出表示装置９，１０，１１の少なくともいずれか２つに亘って描画される１つの画像であって
【０１７８】
　また、連携画像データは、予告演出におけるカウントダウンに関する画像であっても良いし、
操作予告演出における期待度が異なるキャラクタ表示等の画像であっても良
予告に関係しない画像
デモ演出の画像や、遊技方法の説明画像であっても良
　（エ）
「【０２６７】
　また、予告パターンＥ（
配置パターンＥ
第１演出表示装置９が正面視で時計回り方向に９０度回転された状態で配置され、第２演出表示装置１０が正面視で時計回り方向に９０度回転された状態で第１演出表示装置９に対して下方から近接配置され、第３演出表示装置１１が第２演出表示装置１０に対して下方から近接配置された
　（オ）
「【０２７６】
　図２１（Ｃ）に示すように、予告パターンＡ（配置パターンＡ）に応じた位置に第１〜第３演出表示装置９，１０，１１が移動した後は、第１〜第３演出表示装置９，１０，１１の全ての周囲ＬＥＤ９’’，１０’’，１１’’が点灯することで、周囲ＬＥＤ９’’，１０’’，１１’’がそれぞれ１つの枠を形成する。そして、第１演出表示装置９にキャラクタＡ、第２演出表示装置１０にキャラクタＢ、第３演出表示装置１１にキャラクタＣがそれぞれ表示され、
変動中予告演出またはスーパーリーチ演出の一部として
キャラクタＡ〜Ｃが表示されている第１〜第３演出表示装置９，１０，１１においてそれぞれ異なる演出が実行され
　（カ）
「【０３０５】
　このように、本実施例では、第１〜第３演出表示装置９，１０，１１を図２３に示す各配置パターンに移動させる演出を、予告演出として実施する形態を例示しているが、本発明はこれに限定されるものではなく、これら
第１〜第３演出表示装置９，１０，１１を
各配置パターンに移動させる演出を、
大当り遊技中
において実行される確変昇格演出
において実行する
　（キ）
「【０３４０】
　次に、本実施例における第１〜第３演出表示装置９，１０，１１の動きについて図２８〜図３１に基づいて説明する。尚、図２８〜図２９においては、変動表示中演出時の予告パターン（配置パターン）として予告パターンＢ（配置パターンＢ）が決定された場合を例に説明し、図３０〜図３１においては、
スーパーリーチ演出時の配置パターンとして配置パターンＥが決定された場合
・・・
【０３４９】
　尚、変動中予告演出が実行されなかった場合は、図３０（Ａ）に示すように、第１〜第３演出表示装置９，１０，１１が初期位置に配置されている状態において変動表示領域Ｖの「左」と「右」に同一の図柄が停止し、
スーパーリーチ演出の実行タイミングとなると、
【０３５０】
　そして、周囲ＬＥＤ９’’，１０’’，１１’’の点滅点灯が終了すると、これら周囲ＬＥＤ９’’，１０’’，１１’’が全て消灯され、図３０（Ｃ）に示すように、移動ユニット５９ａ，５９ｂを駆動することで第１〜第２演出表示装置９，１０を配置パターンＥ応じた位置に移動させる。
・・・
【０３５２】
　また、本実施例では、第１〜第３演出表示装置９，１０，１１が初期位置に配置されている状態において第１〜第２演出表示装置９，１０を移動させることで、第１〜第３演出表示装置９〜１１を配置パターンＥに応じた配置としているが、本発明はこれに限定されるものではなく、第１〜第３演出表示装置９，１０，１１が
初期位置に配置されている状態において第１〜第２演出表示装置９，１０に加えて第３演出表示装置１１を移動させることで、第１〜第３演出表示装置９〜１１を配置パターンＥに応じた配置とし
【０３５３】
　次いで第１〜第２演出表示装置９，１０が配置パターンＥに応じた位置に移動すると、図３０（Ｄ）に示すように、第１演出表示装置９の正面視で下部の周囲ＬＥＤ９’’が消灯する一方、第１演出表示装置９における他の周囲ＬＥＤ９’’が点灯する。更に、第２演出表示装置１０の正面視で上部及び下部の周囲ＬＥＤ９’’が消灯する一方、第１演出表示装置９における他の周囲ＬＥＤ９’’が点灯する。そして、更に、第３演出表示装置１１の正面視で上部の周囲ＬＥＤ１１’’が消灯する一方、第３演出表示装置１１における他の周囲ＬＥＤ１１’’が点灯する。このため、第１〜第３演出表示装置９，１０，１１においては、周囲ＬＥＤ９’’，１０’’，１１’’が１つの枠を形成するように点灯（枠状に点灯）する。
【０３５４】
　そして、図３０（Ｅ）に示すように、
第１演出表示装置９にキャラクタＡ、第２演出表示装置１０にキャラクタＢ、第３演出表示装置１１にキャラクタＣがそれぞれ表示され、スーパーリーチ演出の一部として、キャラクタＡ、キャラクタＢ、キャラクタＣが３つの第１〜第３演出表示装置９，１０，１１に亘って連携する演出
が実行され
【０３５５】
　次いで、図３１（Ａ）に示すように、
スーパーリーチ演出において大当り
となった後
第１〜第２演出表示装置９，１０を配置パターンＥに応じた位置から初期位置に移動させ
大当り遊技に移行し、
　（ク）
「【０３６７】
　例えば、前記実施例では、遊技機として
パチンコ機１
　（ケ）
「【図２２】
　（コ）
「【図２３】
」
　（サ）
「【図２９】
」
　（シ）
「【図３０】
」
　（ス）
「【図３１】
」
　（セ）認定事項ア
　図２３には、第１〜第３演出表示装置９，１０，１１が、配置パターンＡ〜配置パターンＥに配置されることが図示されている。
　（ソ）上記（ア）ないし（セ）からみて、引用例１には、実施形態として、次の発明が記載されている。なお、ａないしｌについては本願補正発明のＡないしＬに対応させて付与し、引用箇所の段落番号等を併記した。
「ａ、ｃ、ｄ　遊技領域７の中央付近に設けられた第１演出表示装置９と、この第１演出表示装置９と同一形状の第２演出表示装置１０、第１演出表示装置９及び第２演出表示装置１０よりも小型な第３演出表示装置１１であって（【００２５】）、第１演出表示装置９を上下方向と左右方向に移動させるため及び回転させるための第１移動ユニット５９ａ、第２演出表示装置１０を上下方向と左右方向に移動させるため及び回転させるための第２移動ユニット５９ｂ、第３演出表示装置１１を上下方向と左右方向に移動させるため及び回転させるための第３移動ユニット５９ｃがそれぞれ設けられ、これら移動ユニット５９ａ，５９ｂ，５９ｃを駆動させることで、第１〜第３演出表示装置９，１０，１１を、初期位置の状態から、第１〜第３演出表示装置９，１０，１１の全てが離間している配置パターンＡや、第１〜第３演出表示装置９，１０，１１のうちの少なくとも２つが近接している配置パターンＢ〜Ｅに、配置位置を変更できるようになっている、第１演出表示装置９、第２演出表示装置１０及び第３演出表示装置１１が設けられたパチンコ機１において（【００２９】、【０３６７】、図２２、図２３）、
　ｂ　遊技者が把持する操作桿及び操作桿の所定位置に設けられ、遊技者が押引操作することにより所定の指示操作ができるように構成されたトリガボタンが設けられた操作レバー６００（【００２１】）、及び、遊技者が押下操作などにより所定の指示操作を可能な操作ボタン５１６が設けられ（【００２２】）、
　ｅ、ｇ、ｉ　　第１〜第３演出表示装置９，１０，１１は、それぞれ個別の画像データを表示できるとともに、それぞれの第１〜第３演出表示装置９，１０，１１に表示される画像中のキャラクタ等が連携する連携画像データを表示でき、連携画像データは、第１〜第３演出表示装置９，１０，１１の少なくともいずれか２つに亘って描画される１つの画像であって、操作予告演出における期待度が異なるキャラクタ表示等の画像であっても良く、デモ演出の画像や、遊技方法の説明画像など予告に関係しない画像であっても良く（【０１７３】、【０１７７】〜【０１７８】）、
　変動中予告演出またはスーパーリーチ演出の一部としてキャラクタＡ〜Ｃが表示されている第１〜第３演出表示装置９，１０，１１においてそれぞれ異なる演出が実行され（【０２７６】、図２９、図３０）、
　スーパーリーチ演出時の配置パターンとして配置パターンＥが決定された場合（【０３４０】）、スーパーリーチ演出の実行タイミングとなると（【０３４９】）、第１演出表示装置９と第２演出表示装置１０が左右に隣接し、且つ第３演出表示装置１１が第１演出表示装置９と第２演出表示装置１０の下方に位置した（【００３１】）初期位置に配置されている状態において、第１〜第２演出表示装置９，１０に加えて第３演出表示装置１１を移動させることで、第１〜第３演出表示装置９〜１１を、第１演出表示装置９が正面視で時計回り方向に９０度回転された状態で配置され、第２演出表示装置１０が正面視で時計回り方向に９０度回転された状態で第１演出表示装置９に対して下方から近接配置され、第３演出表示装置１１が第２演出表示装置１０に対して下方から近接配置された配置パターンＥに応じた配置とし（【０２６７】、【０３５２】、図３０）、第１演出表示装置９にキャラクタＡ、第２演出表示装置１０にキャラクタＢ、第３演出表示装置１１にキャラクタＣがそれぞれ表示され、スーパーリーチ演出の一部として、キャラクタＡ、キャラクタＢ、キャラクタＣが３つの第１〜第３演出表示装置９，１０，１１に亘って連携する演出が実行され（【０３５４】、図３０）、
ｆ、ｊ、ｋ’　スーパーリーチ演出において大当りとなった後、第１〜第２演出表示装置９，１０を配置パターンＥに応じた位置から初期位置に移動させて大当り遊技に移行し（【０３５５】、図３１）、第１〜第３演出表示装置９，１０，１１を配置パターンＡ〜配置パターンＥの各配置パターンに移動させる演出を、大当り遊技中において実行される確変昇格演出において実行する（【００２９】、【０３０５】、認定事項（ア））、
ｌ　パチンコ機１（【０３６７】）。」（以下「引用発明」という。）
  
　イ　引用例２
　原査定の拒絶の理由に引用文献５として引用され、本願出願前に電気通信回線を通じて公衆に利用可能となった特開２０１５−７３７３１号公報（平成２７年４月１０日出願公開、以下「引用例２」という。）には、「遊技機」に関し、次の事項が図とともに記載されている。
　（ア）
「【技術分野】
【０００１】
　本発明は、パチンコ遊技機などの遊技機に関する。」
　（イ）
「【０００６】
  本発明は、上記実状に鑑みてなされたものであり、
遊技興趣の低下を防止する
　（ウ）
「【００１８】  以下、図面を参照しつつ、本発明の一実施形態を詳細に説明する。図１は、本実施の形態におけるパチンコ遊技機の正面図であり、主要部材の配置レイアウトを示す。
パチンコ遊技機
１
　（エ）
「【０３２６】
　次に、演出制御基板１２における動作を説明する。演出制御基板１２では、電源基板１０から電源電圧の供給を受けると、演出制御用マイクロコンピュータ１２０が起動して、ＣＰＵ１２０Ａによって図３３のフローチャートに示すような演出制御メイン処理が実行される。
・・・
【０３３０】
　ステップＳ７４にてコマンド解析処理を実行した後には、
演出制御プロセス処理
・・・
【０３３２】
　図３４は、演出制御プロセス処理として、図３３のステップＳ７５にて実行される処理の一例を示すフローチャートである。この演出制御プロセス処理において、
演出制御用マイクロコンピュータ１２０のＣＰＵ１２０Ａは、
・・・
【０３３５】
　ステップＳ１８２の可変表示中演出処理は、演出プロセスフラグの値が“２”のときに実行される処理である。この可変表示中演出処理において、ＣＰＵ１２０Ａは、所定の演出制御プロセスタイマにおけるタイマ値に対応して、演出制御パターンから表示制御データ、音声制御データ、ランプ制御データ、演出用模型制御データといった演出制御実行データを読み出す。このとき読み出された演出制御実行データに従って、例えばＶＤＰ１２１へと伝送する表示制御信号の決定や、音声制御基板１３やランプ制御基板１４へと伝送する各種指令の決定などが行われる。これらの決定結果に基づく各種信号の出力により、
画像表示装置５
【０３３６】
　
ステップＳ１８３の特図当り待ち処理
演出画像を表示することによって遊技者に遊技球を右遊技領域２Ｂに発射すべきことを報知する処理と、大当り遊技状態時に出力する楽曲を選曲表示する処理が行われ
　（オ）
「【０３５１】
　ステップＳ６１０の処理を実行した後は、遊技者による選曲操作が行われたか、または、所定時間が経過したか否かを判定する（ステップＳ６１１）。
遊技者
操作ボタン３０の操作
　（カ）
「【０３５７】
　このように、連荘大当りとなった場合、上記の特図当り待ち処理が繰り返し行われることによって、選択可能な楽曲が追加されるとともに、選曲表示が行われ、かつ、右打ち表示が行われる。
【０３５８】
　続いて、楽曲が追加され、選曲表示や右打ち表示が行われる場合の主な演出動作例を、図３８および図３９を参照して説明する。まず、図３８（ａ）に示すように大当り（確変）となると、図３５のステップＳ６１０の処理により、図３８（ｂ）に示すように、選曲表示と右打ち表示が行われる。図３８（ｂ）に示す例では、１回目の大当りの例を示しており、すなわち、連荘カウント値が「１」である場合の例を示しており、この場合には、追加楽曲記憶一覧に初期時から追加されている
楽曲Ａが選択可能に表示され
【０３５９】
　その後、図３８（ｆ）に示すように再度飾り図柄の変動が開始され、図３８（ｇ）に示すように、再度大当り（
２回目の大当り
となると
楽曲Ｄが出力される
　（キ）
「【図３８】
　（ク）認定事項イ
　上記【０３５８】には、「選曲表示」において、「楽曲Ａが選択可能に表示され」、「遊技者の操作により楽曲Ａが選択されると、」「図３８（ｃ）および（ｄ）に示すように」、「楽曲Ａが出力される」ことが記載され、上記【０３５９】には、「２回目の大当り」「となると」、「図３８（ｈ）に示すように、楽曲Ｄが追加される」ことが記載され、図３８（ｈ）には、画像表示装置５の左側に、楽曲Ａ及び楽曲Ｄが表示されることが図示され、図３８（ｄ）には、楽曲Ａが右下に表示されることが図示されるとともに、「（ｈ）を経由した場合には楽曲Ｄ」と記載されていることから、引用例２には、「２回目の大当りとなると、選曲表示において、画像表示装置５の左側に楽曲Ａ及び楽曲Ｄが選択可能に表示され、遊技者の操作により楽曲Ｄが選択されると、楽曲Ｄが右下に表示されること」が開示されていると認められる。
　（ケ）上記（ア）ないし（ク）からみて、引用例２には、次の事項が記載されている。なお、引用箇所の段落番号等を併記した。
「パチンコ遊技機１において（【００１８】）、
　演出制御用マイクロコンピュータ１２０のＣＰＵ１２０Ａは、演出制御プロセス処理のステップＳ１８３の特図当り待ち処理において、画像表示装置５に演出画像を表示することによって遊技者に遊技球を右遊技領域２Ｂに発射すべきことを報知する処理と、大当り遊技状態時に出力する楽曲を選曲表示する処理を行い（【０３３０】、【０３３２】、【０３３５】〜【０３３６】）、
　２回目の大当りとなると、選曲表示において、画像表示装置５の左側に楽曲Ａ及び楽曲Ｄが選択可能に表示され、遊技者の操作ボタン３０の操作により楽曲Ｄが選択されると、楽曲Ｄが画像表示装置５の右下に表示され、楽曲Ｄが出力されること（【０３５１】、【０３５８】〜【０３５９】、図３８、認定事項（イ））。」（以下「引用例２の記載事項」という。）
  
（３）対比
　ア　本願補正発明と引用発明とを対比する。なお、以下の見出し（ａ）ないし（ｌ）は、本願補正発明のＡないしＬに対応させている。
  
　（ａ）引用発明の構成ｅ、ｇ、ｉ及びｆ、ｊ、ｋ’の「スーパーリーチ演出」と「大当り遊技中」「において実行される確変昇格演出」は、それぞれ異なる演出であって、どちらも、「第１〜第３演出表示装置９〜１１」を「移動」させる演出であることから、本願補正発明の構成Ａの「複数種類の表示演出」に相当する。
　よって、上記構成ｅ、ｇ、ｉ及びｆ、ｊ、ｋ’も踏まえると、引用発明の、「第１〜第３演出表示装置９〜１１」を「移動」させる演出である、「スーパーリーチ演出」と「大当り遊技中」「において実行される確変昇格演出」を実行する「第１〜第３演出表示装置９，１０，１１」は、本願補正発明の構成Ａの「複数種類の表示演出を実行可能な表示手段」に相当する。
　（ｂ）引用発明の「操作レバー６００」が、「遊技者が」「押引操作などすることにより所定の指示操作ができるように構成され」た「トリガボタン」を備えることは、操作レバー６００が、遊技者の操作を受け付けることが可能であるといえる。また、引用発明の「操作ボタン５１６」が、「遊技者が押下操作などにより所定の指示操作を可能」であることは、同様に、操作ボタン５１６が、遊技者の操作を受け付けることが可能であるといえる。
　よって、引用発明の「遊技者が」「押引操作などすることにより所定の指示操作ができるように構成され」た「トリガボタン」を備えた「操作レバー６００」及び「遊技者が押下操作などにより所定の指示操作を可能」な「操作ボタン５１６」は、本願補正発明の構成Ｂの「遊技者の操作を受け付けることが可能な操作手段」に相当する。
　（ｃ）引用発明の「第１演出表示装置９」及び「第２演出表示装置１０」は、それぞれの表示装置を移動させるための「第１移動ユニット５９ａ」及び「第２移動ユニット５９ｂ」を備えていることから、第１演出表示装置９及び第２演出表示装置１０は、可動式であるといえる。
 すると、引用発明の「第１演出表示装置９」及び「第２演出表示装置１０」のいずれか一方及び他方は、それぞれ、本願補正発明の構成Ｃの「第１の表示手段」及び「第１の表示手段とは異なる」「可動式の」「第２の表示手段」に相当する。
　（ｄ）引用発明の構成ｅ、ｇ、ｉの「第１演出表示装置９と第２演出表示装置１０が左右に隣接」する「初期位置」に配置されることは、本願補正発明の構成Ｄの「前記第１の表示手段に対して前記第２の表示手段が第１の位置に配置される第１の態様となる場合」に相当し、同「第１演出表示装置９が正面視で時計回り方向に９０度回転された状態で配置され、第２演出表示装置１０が正面視で時計回り方向に９０度回転された状態で第１演出表示装置９に対して下方から近接配置され」る「配置パターンＥ」に配置されることは、図２３も合わせ見ると、第１及び第２演出表示装置９〜１０の位置が、それぞれ初期位置と異なる位置に配置されているから、本願補正発明の構成Ｄの「前記第１の表示手段に対して前記第２の表示手段が前記第１の位置とは異なる第２の位置に配置される第２の態様となる場合」に相当する。
　（ｅ）（ｆ）（ｇ）引用発明の「スーパーリーチ演出」は、本願補正発明の構成Ｅ及びＧの「リーチ演出」である「第１の表示演出」に相当する。
　また、引用発明の「大当り遊技中」「において実行される確変昇格演出」は、上記（ａ）で説示のとおりスーパーリーチ演出とは異なる表示演出であるから、本願補正発明の構成Ｆの「第２の表示演出」に相当する。
　すると、引用発明の「スーパーリーチ演出」又は「大当り遊技中」「において実行される確変昇格演出」が実行されることは、本願発明の構成Ｅ、Ｆ、Ｇに相当する。
　（ｉ）引用発明の「スーパーリーチ演出」において、「第１〜第３演出表示装置９〜１１を」「初期位置」から「配置パターンＥに応じた配置とし」、「キャラクタＡ、キャラクタＢ、キャラクタＣが３つの第１〜第３演出表示装置９，１０，１１に亘って連携する」ことは、第１及び第２演出表示装置９〜１０を用いてスーパーリーチ演出を行っているといえるから、上記（ｃ）及び（ｅ）（ｇ）の説示内容を踏まえると、本願補正発明の構成Ｉの「前記第１の表示演出」が、「前記第１の表示手段と前記第２の表示手段とを用いておこなわれる」ことに相当する。
（ｊ）引用発明の「大当り遊技中」「において実行される確変昇格演出」において、「第１〜第３演出表示装置９〜１１を」「初期位置」から「第１〜第３演出表示装置９，１０，１１を配置パターンＡ〜配置パターンＥの各配置パターンに移動させる演出」を行うことは、配置パターンＡ〜配置パターンＥの各配置パターンのいずれかの配置パターンに移動した第１及び第２演出表示装置９〜１０を用いて、大当り遊技中において実行される確変昇格演出を行っているといえるから、上記（ｃ）及び（ｆ）の説示内容を踏まえると、本願補正発明の構成Ｊの「前記第２の表示演出」が、「前記第１の表示手段と前記第２の表示手段とを用いておこなわれる」ことに相当する。
　（ｋ’）　引用発明において、「配置パターンＥ」の「配置パターンに移動させる」ことは、上記（ｃ）及び（ｄ）で説示のとおり、引用発明において、第１及び第２演出表示装置９〜１０が、「初期位置」から「表示パターンＥ」に移動しているから、第１及び第２演出表示装置９〜１０を可動させているといえる。
　よって、上記（ｃ）、（ｄ）及び（ｆ）の説示内容を踏まえると、引用発明の、「大当り遊技中」「において実行される確変昇格演出」において、「第１〜第２演出表示装置９，１０」が「初期位置」から「表示パターンＥ」に移動することは、本願補正発明の構成Ｋと、「前記第２の表示演出は、大当たり遊技中において、前記第１の表示手段と前記第２の表示手段を可動させることで前記第１の態様から前記第２の態様に変化させ」る点で共通する。
　（ａ）（ｌ）引用発明の「パチンコ機１」は、本願補正発明の構成Ａ及びＬの「遊技機」に相当する。
  
　イ　したがって、本願補正発明と引用発明とは、
「Ａ　複数種類の表示演出を実行可能な表示手段を備える遊技機であって、
Ｂ　遊技者の操作を受け付けることが可能な操作手段を備え、
Ｃ　前記表示手段は、第１の表示手段と、前記第１の表示手段とは異なる表示手段であって可動式の第２の表示手段とを備え、
Ｄ　前記第１の表示手段と前記第２の表示手段とは、前記第１の表示手段に対して前記第２の表示手段が第１の位置に配置される第１の態様となる場合と、前記第１の表示手段に対して前記第２の表示手段が前記第１の位置とは異なる第２の位置に配置される第２の態様となる場合とがあり、
Ｅ　前記複数の表示演出のうちの一つの演出として、第１の表示演出をおこなう場合があり、
Ｆ　前記複数の表示演出のうちの一つの演出として、第２の表示演出をおこなう場合があり、
Ｇ　前記第１の表示演出は、リーチ演出であり、
Ｉ　前記第１の表示演出は、前記第１の表示手段と前記第２の表示手段とを用いておこなわれる場合があり、
Ｊ　前記第２の表示演出は、前記第１の表示手段と前記第２の表示手段とを用いておこなわれる場合があり、
Ｋ’　前記第２の表示演出は、大当たり遊技中において、前記第１の表示手段と前記第２の表示手段を可動させることで前記第１の態様から前記第２の態様に変化させる、
Ｌ　ことを特徴とする遊技機。」である点で一致し、次の点で相違する。
  
　・相違点１（特定事項Ｈ）
　「第２の表示演出」に関し、
　本願補正発明では、「複数の楽曲情報を表示する楽曲表示演出」であるのに対し、
　引用発明では、「大当り遊技中において実行される確変昇格演出」である点。
  
　・相違点２（特定事項Ｋ）
　「第２の表示演出」に関し、
　本願補正発明では、「前記複数の楽曲情報を前記第１の表示手段に表示し、その後、前記複数の楽曲情報のうち、遊技者により前記操作手段の操作に基づいて選択された楽曲情報を前記第２の表示手段に表示する」のに対し、
　引用発明では、そのような特定がない点。
  
（５）判断
　ア　上記相違点１〜２は、共に、第２の表示演出として複数の楽曲情報を表示する構成で関連しているので、まとめて検討する。
　（ア）まず、本願補正発明の「前記第１の表示手段と前記第２の表示手段を可動させることで前記第１の態様から前記第２の態様に変化させて、前記複数の楽曲情報を前記第１の表示手段に表示し、その後、前記複数の楽曲情報のうち、遊技者により前記操作手段の操作に基づいて選択された楽曲情報を前記第２の表示手段に表示する」（特定事項Ｋ）が示す技術事項について検討する。
　令和元年８月２１日に提出された審判請求書及び平成３１年４月８日に提出された意見書において、明細書の【０６２９】、図１１３〜１１６が本願補正発明の上記特定事項の根拠として示されている。そして、図１１３〜１１４、１１６には、複数の楽曲選択画像Ｂ５Ｄ及び遊技者により選択された楽曲画像Ｂ５Ｅが、第１画像表示装置７Ａと第２画像表示装置７Ｂにまたがって表示されることが図示されている。
　図１１３〜１１４、１１６を参酌すれば、本願補正発明の上記特定事項は、図１１５に図示されるように複数の楽曲表示を第１の表示手段のみに表示し、その後、遊技者により選択された楽曲情報を第２の表示手段のみに表示させるなどと限定して解するべきではなく、図１１３〜１１４、１１６に図示されるように、複数の楽曲情報及び遊技者により選択された楽曲情報が、２つの表示手段にまたがって表示することも、上記特定事項に含まれると解するべきである。
　（イ）引用例２の記載事項の「画像表示装置５」、「選曲表示において」「画像表示装置５の左側に」「選択可能に表示され」る「楽曲Ａ」及び「楽曲Ｄ」及び「遊技者の」「操作ボタン３０の操作」「により」「選択され」、「画像表示装置５の右下に表示される」「楽曲Ｄ」は、本願補正発明の「表示装置」、「複数の楽曲情報」及び「遊技者により前記操作手段の操作に基づいて選択された楽曲情報」に相当する。
　（ウ）遊技機において、大当たり遊技中に楽曲を出力することは、上記引用例２の記載事項にもみられるように技術常識である。当該技術常識を考慮すれば、引用例１に、大当たり遊技中に楽曲を出力することに関する記載はないものの、引用発明の遊技機においても、大当たり遊技中に楽曲を出力することは自明である。
　そうすると、引用発明の、大当り遊技中において第１〜第３演出表示装置９，１０，１１で実行される確変昇格演出と、上記引用例２に記載の大当り遊技は共に、大当たり遊技中に楽曲を出力することで共通する。
　よって、引用発明の大当り遊技中で実行される確変昇格演出において、遊技者の興趣の低下を防止するために上記引用例２の記載事項を適用し、第１〜第３演出表示装置９，１０，１１に複数の楽曲情報を選択可能に表示し、遊技者の操作レバー６００または操作ボタン５１６の操作により楽曲が選択されると、当該選択された楽曲情報を第１〜第３演出表示装置９，１０，１１に表示する事項を採用することは、当業者が容易になし得たことである。
　（エ）そして、引用発明は、デモ演出の画像や遊技方法の説明画像といった、予告に関係しない画像に対しても、それぞれの第１〜第３演出表示装置９，１０，１１の少なくともいずれか２つに亘って描画される１つの画像の連携画像データを表示するのであるから、引用発明に上記引用例２の記載事項を適用する際、引用例２の選曲表示画像についても、デモ演出の画像等と同様、それぞれの第１〜第３演出表示装置９，１０，１１の少なくともいずれか２つに亘って描画される連携画像データとして表示することに、何らの困難性も見当たらない。また、連携画像データとして表示する際、どの演出表示装置にどのような情報を表示するかは、当業者が適宜決め得る設計的事項にすぎず、複数の楽曲からなる選曲表示画像及び遊技者の操作により選択された楽曲の画像を、共に第１〜第３演出表示装置９，１０，１１のいずれか１つに表示することも、共に第１〜第３演出表示装置９，１０，１１のいずれか２つにまたがって表示させることも、さらには、それぞれの画像を第１〜第３演出表示装置９，１０，１１のいずれか２つに分けて表示することも、適宜なし得ることにすぎない。
　（オ）上記（ア）〜（エ）より、引用発明における、大当り遊技中の確変昇格演出において、上記引用例２の記載事項を適用する際、複数の楽曲からなる選曲表示画像及び遊技者の操作により選択された楽曲の画像を、共に第１〜第３演出表示装置９，１０，１１のいずれか２つにまたがって表示させるか、または、それぞれの画像を第１〜第３演出表示装置９，１０，１１のいずれか２つに分けて表示させる、すなわち、相違点１及び相違点２に係る本願補正発明の特定事項となすことは、上記引用例２の記載事項に基づいて当業者が容易になし得たことである。
　（カ）仮に、本願発明の「前記第１の表示手段と前記第２の表示手段を可動させることで前記第１の態様から前記第２の態様に変化させて、前記複数の楽曲情報を前記第１の表示手段に表示し、その後、前記複数の楽曲情報のうち、遊技者により前記操作手段の操作に基づいて選択された楽曲情報を前記第２の表示手段に表示する」が示す技術事項を、図１１５に図示されるように、複数の楽曲表示を第１の表示手段のみに表示し、その後、遊技者により選択された楽曲情報を第２の表示手段のみに表示させると解したとしても、上記（エ）で説示のとおり、複数の楽曲からなる選曲表示画像及び遊技者の操作により選択された楽曲の画像を、第１〜第３演出表示装置９，１０，１１のいずれか２つに分けて表示することは、適宜なし得ることにすぎず、当業者に想到容易である。
　（キ）上記（カ）に加えてさらに、上記引用例２の記載事項は、楽曲Ａ及び楽曲Ｄの選曲表示が表示装置の左側、遊技者の操作により選択された楽曲Ｄの表示が表示装置の右下というように、楽曲Ａ及び楽曲Ｄの選曲表示の画像と、遊技者の操作により選択された楽曲Ｄの画像が、異なる表示位置に配置されているのであるから、引用例２の記載事項を引用発明に適用する際、楽曲Ａ及び楽曲Ｄの選曲表示の画像と、遊技者の操作により選択された楽曲Ｄの画像を異なる表示位置に配置し、その際、楽曲Ａ及び楽曲Ｄの選曲表示画像を、第１〜第３演出表示装置９，１０，１１のうち、選択された楽曲Ｄの表示が表示される表示装置とは異なる方の表示装置に表示させることは、引用例２の記載事項に照らしてむしろ自然なことであり、当業者に想到容易である。
　イ　本願補正発明の奏する効果は、引用発明の奏する効果及び引用例２の記載事項の奏する効果から、予測することができた程度のものである。
　
（６）独立特許要件のむすび
　以上のとおりであるから、本願補正発明は、当業者が、引用例１に記載された発明、引用例２の記載事項及び技術常識に基いて、容易に発明をすることができたものである。
　よって、本願補正発明は、特許法第２９条第２項の規定により特許出願の際独立して特許を受けることができないものである。
　
４　小括
　以上のとおり、本願補正発明は、特許出願の際独立して特許を受けることができないものであるから、本件補正は、特許法第１７条の２第６項において準用する同法第１２６条第７項の規定に違反するものである。
　したがって、本件補正は、同法第１２６条第７項の規定に違反するので、同法第１５９条第１項において読み替えて準用する同法第５３条第１項の規定により却下すべきものである。
　
第３　本願発明について
１　本願発明
　本件補正は上記第２のとおり却下されたので、本願の請求項１に係る発明（以下「本願発明」という。）は、平成３０年１２月２０日に提出された手続補正書により補正された特許請求の範囲の請求項１に記載された事項によって特定されるものであるところ、請求項１に係る発明は、上記第２〔理由〕１（１）に本件補正前の請求項１として記載したとおりのものである。
　
２　原査定の拒絶の理由の概要
　原査定の拒絶の理由は、この出願の平成３０年１２月２０に提出された手続補正書により補正された請求項１に係る発明が、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない、というものである。
  
　　　　　　　　　記
　引用文献１．特開２０１５−１９８６８２号公報
　引用文献２．特開２０１５−１６０１２号公報
　引用文献３．特開２０１３−１２３６０２号公報
　引用文献４．特開２０１７−１０８８０７号公報
　引用文献５．特開２０１５−７３７３１号公報
　引用文献６．特開２０１７−１０８８９７号公報
　本願の請求項１に係る発明は、引用文献１〜引用文献３のいずれかに記載された発明に、引用文献４記載の技術思想若しくは引用文献５〜引用文献６に見られる技術思想または周知技術を採用することにより当業者が容易に推考できたものである。
　
３　引用例
　引用例１（引用文献２）及び引用例２（引用文献５）は、上記第２〔理由〕３（２）ア及びイに記載したとおりである。
　
４　対比・判断
　本願発明（上記第２〔理由〕１（１））は、本願補正発明（上記第２〔理由〕３（１））から、（ア）構成Ｃより、第２の表示手段が、「表示手段であって可動式の」との限定事項、（イ）構成Ｄの「前記第１の表示手段と前記第２の表示手段とは、前記第１の表示手段に対して前記第２の表示手段が第１の位置に配置される第１の態様となる場合と、前記第１の表示手段に対して前記第２の表示手段が前記第１の位置とは異なる第２の位置に配置される第２の態様となる場合とがあり、」との限定事項及び（ウ）構成Ｋより、前記第２の表示演出は、大当たり遊技中において、「前記第１の表示手段と前記第２の表示手段を可動させることで前記第１の態様から前記第２の態様に変化させて、」との限定事項を削除したものである。
　そうすると、本願発明と引用発明とは、上記相違点１及び相違点２で相違するから、本願発明も上記第２〔理由〕３（５）ア及びイで示した理由と同様の理由により、当業者が、引用例１に記載された発明及び引用例２の記載事項及び技術常識に基いて、容易に発明をすることができたものである。
　
第４　むすび
　以上のとおり、本願発明は、当業者が、引用例１及び引用例２に記載された発明及び技術常識に基いて、容易に発明をすることができたものであるから、特許法第２９条第２項の規定により特許を受けることができない。
　よって、結論のとおり審決する。